(57)【特許請求の範囲】
【請求項１】
開口が設けられた上面を有し、当該開口に連続する保冷室が区画されたクーラーボックス本体と、
クーラーボックス本体に設けられ、上記開口を開閉する蓋部材と、
クーラーボックス本体の上記上面の開口周縁部と蓋部材との間に介在され、蓋部材が上記開口を閉じた状態で上記保冷室を密封する弾性変形可能なパッキングと、
蓋部材が上記開口を閉じた際に生じるクーラーボックス本体の上面と蓋部材との間の距離の偏差を相殺すべくパッキングとクーラーボックス本体との間又はパッキングと蓋部材との間に介在され、内部流動することによって内部圧力が均等となるように変形自在な内圧均等体とを備えたクーラーボックス。
【請求項２】
上記蓋部材は、上記開口を閉じた状態で上記クーラーボックス本体の上記開口周縁部と対向する部位に当該開口周縁部側に開口する環状に形成された周溝を備え、
上記パッキングは、上記周溝の開口から突出した状態で当該周溝内に配置されると共に、当該周溝の深さ方向に進退可能なように当該周溝内にスライド自在に嵌め込まれており、
上記内圧均等体は、上記周溝の底面と上記パッキングとの間に介在されている請求項１に記載のクーラーボックス。
【請求項３】
上記内圧均等体は、
液体ないしゲル状のコアと、
当該コアを収容すると共に、上記周溝の長手方向に沿って配置される可撓性を有するチューブ状バッグとを備えている請求項１または２に記載のクーラーボックス。
【請求項４】
上記パッキングは、中実部材である請求項１から３のいずれかに記載のクーラーボックス。
【発明の詳細な説明】
【技術分野】
【０００１】
本発明は、魚釣り等のレジャーに使用されるクーラーボックスの構造に関するものである。
【背景技術】
【０００２】
例えば釣人は、魚釣りの際にクーラーボックスを携帯する。クーラーボックスは、主として釣れた魚を保冷保存することを目的とした容器である。したがって、従来からクーラーボックスは、高い保冷力を備えることが要請されている。クーラーボックスの保冷力を高めるために、従来から種々の改良が施されている（例えば、特許文献１〜特許文献８参照）。
【０００３】
特許文献１に開示されたクーラーボックスでは、保冷室が形成された本体に蓋部材が開閉自在に設けられている。この蓋部材が閉じられることによって保冷室が密封され、この保冷室に収容された魚等が保存される。保冷室が確実に密封されるために、蓋部材の下面にパッキングが設けられている。つまり、蓋部材が閉じられたときに、パッキングが蓋部材と本体との隙間を埋めることにより、保冷室が密封されるようになっている。
【０００４】
【特許文献１】特開２００５−２５３３７６号公報
【特許文献２】特開２００２−１４５３５７号公報
【特許文献３】特開２００２−１２０８８０号公報
【特許文献４】特開２００１−３５４２７７号公報
【特許文献５】特開２００１−２９９１７７号公報
【特許文献６】特開２０００−７０５６号公報
【特許文献７】特開２０００−４７５２号公報
【特許文献８】特開平１０−２６２５３５号公報
【発明の開示】
【発明が解決しようとする課題】
【０００５】
本体や蓋部材は、一般に樹脂、典型的にはポリプロピレン（ＰＰ）により成形される。材料としてポリプロピレンが採用されることにより、クーラーボックスの軽量化が容易に実現し、また、クーラーボックスの材料コストが低減される。ところで、樹脂による成形品は、一般に歪みが生じる。このため、蓋部材が閉じられた場合に、本体と蓋部材との間に隙間が生じることがある。
【０００６】
この隙間が小さい場合は、蓋部材が樹脂から構成されるので、蓋部材が閉じられる際に当該蓋部材の撓みによって上記歪みが相殺され、これにより、上記保冷室が密封され得る。ところが、クーラーボックスは、魚を保存するという機能を実現するために、その外形寸法が一定以上の大きさとならざるを得ないため、成形品としての本体や蓋部材の歪みは相当大きくなる場合もある。このような場合に、蓋の撓みによって上記歪みを相殺することに無理が生じる場合もある。たとえば、蓋部材が長方形に形成されており、その長辺部分が本体に固定具を介して固定されるタイプのものでは、蓋部材が全体的に大きく弾性変形されつつ本体に固定された場合に、蓋部材の短辺部分が本体から浮き上がってしまうおそれがある。これを防止するために、蓋部材の短辺部分にも固定具が設けられればよいが、これでは、蓋部材の開閉作用が非常に煩わしいものとなる。
【０００７】
もっとも、上記隙間が小さい場合は、この隙間が蓋部材に設けられたパッキングの変形により埋められる。つまり、パッキングが蓋部材から突出するように設けられ、この蓋部材が閉じられたときに、パッキングが本体と蓋部材との間に挟み込まれ、隙間に押し込まれるように配置される。しかしながら、成形品としての本体または蓋部材の歪みが大きく、本体と蓋部材との間に局部的に大きな隙間が生じた場合は、パッキングは、この隙間を埋めるために蓋部材から大きく突出するように設けられていなければならない。このように、パッキングが蓋部材から一様に大きく突出するように設けられると、上記隙間の小さい部位では、極端にパッキングが押圧変形されることになり、その結果、釣人にとって蓋部材を閉める作業が困難となる。さらに、本体または蓋部材の歪みの程度によっては、パッキングが設けられても本体と蓋部材との間に隙間が残存してしまうことも予想され得る。
【０００８】
この問題の解決のために、例えばパッキングが発泡樹脂により構成され、発泡倍率が大きく設定されればよい。しかし、このような対策では、パッキングの耐久性が著しく低下し、蓋部材の開閉が繰り返されることによってパッキングが損傷するおそれがある。また、そもそも歪みが小さくなるように本体及び蓋部材が成形されればよいが、成形品の歪みを無くすことは不可能である。
【０００９】
そこで、本発明の目的は、蓋部材の操作性を犠牲にすることなく本体と蓋部材との間の隙間を確実に埋めて高い保冷効果を維持するクーラーボックスを提供することである。
【課題を解決するための手段】
【００１０】
(1) 上記目的が達成されるため、本発明に係るクーラーボックスは、開口が設けられた上面を有し、当該開口に連続する保冷室が区画されたクーラーボックス本体と、クーラーボックス本体に設けられ、上記開口を開閉する蓋部材と、クーラーボックス本体の上記上面の開口周縁部と蓋部材との間に介在され、蓋部材が上記開口を閉じた状態で上記保冷室を密封する弾性変形可能なパッキングと、蓋部材が上記開口を閉じた際に生じるクーラーボックス本体の上面と蓋部材との間の距離の偏差を相殺すべくパッキングとクーラーボックス本体との間又はパッキングと蓋部材との間に介在され、内部流動することによって内部圧力が均等となるように変形自在な内圧均等体とを備えている。
【００１１】
クーラーボックス本体及び蓋部材を構成する材料は特に限定されるものではないが、これらがコスト安価に製造されるためには、一般にポリプロピレンその他の樹脂により成形されるのが好ましい。このようにクーラーボックス本体及び蓋部材が樹脂により成形されると、成形品としてのクーラーボックス本体及び蓋部材に歪みが発生する。この歪みが原因となって、蓋部材がクーラーボックス本体の開口を閉じた状態で、クーラーボックス本体の上面、具体的には当該上面の開口の周縁部と蓋部材との間の距離が変化する。すなわち、クーラーボックス本体の開口の周縁部と蓋部材との間の隙間が、クーラーボックス本体の上面の周方向について一様ではなく、当該隙間が大きくなる部位と小さくなる部位とが存在する。
【００１２】
蓋部材が上記開口を閉じると、パッキングが蓋部材とクーラーボックス本体との間に介在され、上記開口の周縁部に当接する。したがって、クーラーボックス本体の保冷室が密封される。前述のように、一般にクーラーボックス本体の開口の周縁部と蓋部材との間の距離は一定ではないので、この距離が小さい部位では、蓋部材が上記開口を閉じたときにパッキングは相対的に強く押しつけられ、また、上記距離が大きい部位では、蓋部材が上記開口を閉じたときにパッキングが相対的に弱く押しつけられる。したがって、蓋部材が上記開口を閉じた瞬間において、パッキングが相対的に強く押しつけれた部位に対応する内圧均等体の部位では、当該内圧均等体の内圧が局部的に大きくなり、また、パッキングが相対的に弱く押しつけれた部位に対応する内圧均等体の部位では、当該内圧均等体の内圧が局部的に小さくなる。
【００１３】
このような内圧均等体の内部圧力の分布は、当該内部圧力が均等となるように当該内圧均等体を直ちに変形させる。つまり、内圧均等体は、内部圧力が高い部位から低い部位へ流動する。換言すれば、クーラーボックス本体の開口の周縁部と蓋部材との間の距離の大小にかかわらず、当該距離の偏差を相殺すべく内圧均等体が流動する。この場合、内圧均等体がパッキングとクーラーボックス本体との間に配置されていれば、内圧均等体は、パッキングとクーラーボックス本体との間に生じる隙間を充填する。また、内圧均等体がパッキングと蓋部材との間に配置されていれば、内圧均等体は、パッキングと蓋部材との間に生じる隙間を充填する。これにより、クーラーボックス本体の開口の周縁部と蓋部材との間の距離が一定でなくとも、内圧均等体の変形によってパッキングは、クーラーボックス本体及び蓋部材の双方に確実に密着し、上記保冷室を確実に密封する。
【００１４】
(2) 上記蓋部材は、上記開口を閉じた状態で上記クーラーボックス本体の上記開口周縁部と対向する部位に当該開口周縁部側に開口する環状に形成された周溝を備え、上記パッキングは、上記周溝の開口から突出した状態で当該周溝内に配置されると共に、当該周溝の深さ方向に進退可能なように当該周溝内にスライド自在に嵌め込まれており、上記内圧均等体は、上記周溝の底面と上記パッキングとの間に介在されていてもよい。
【００１５】
この場合、上記パッキングは、蓋部材に設けられた周溝に嵌め込まれており、上記内圧均等体が上記パッキングの座部材として上記周溝の内奥に配置されている。すなわち、上記パッキングは、上記内圧均等体を介して上記周溝に嵌め込まれている。そして、蓋部材が上記開口を閉じた際に、上記周溝から突出したパッキングがクーラーボックス本体の開口の周縁部に当接し、上記保冷室が密封される。前述のように、一般に成形品としてのクーラーボックス本体及び蓋部材には歪みが生じるから、上記開口の周縁部と上記周溝の底面との間の距離は一定ではない。この距離が小さい部位では、蓋部材が閉じられた瞬間にパッキングは相対的に強く押しつけられ、また、上記距離が大きい部位では、蓋部材が閉じられた瞬間にパッキングが相対的に弱く押しつけられる。したがって、蓋部材が閉じられた瞬間において、パッキングが相対的に強く押しつけれた部位に対応する内圧均等体の部位では、当該内圧均等体の内圧が局部的に大きくなり、また、パッキングが相対的に弱く押しつけれた部位に対応する内圧均等体の部位では、当該内圧均等体の内圧が局部的に小さくなる。
【００１６】
前述のように、このような内圧均等体の内部圧力の分布は、当該内部圧力が均等となるように当該内圧均等体を直ちに変形させる。つまり、内圧均等体は、内部圧力が高い部位から低い部位へ流動する。換言すれば、上記開口の周縁部と上記周溝の底面との距離の大小にかかわらず、内圧均等体は、パッキングと上記周溝の底面との隙間を流動し充填する。これにより、上記開口の周縁部と上記周溝の底面との距離が一定でなくとも、内圧均等体の変形によってパッキングと上記開口の周縁部との間の距離が一定となり、したがって、パッキングは、上記開口の周縁部に確実にしかも一様に押しつけられる。
【００１７】
(3) 上記内圧均等体は、液体ないしゲル状のコアと、当該コアを収容すると共に、上記周溝の長手方向に沿って配置される可撓性を有するチューブ状バッグとを備えて構成される。
【００１８】
コアは、例えばゲル状のポリウレタン等が採用され得る。ゲル状の物質は、一定の流動性を有することから、コアを構成する材料として好ましい。ただし、さらに流動性に優れる物質、典型定期にはグリース等がコアを構成する材料として採用されてもよいし、きわめて流動性に富むオイルや水がコアを構成する材料として採用されてもよい。また、コアが可撓性を有するチューブ状バッグに収容されることにより、コアがチューブ状バッグ内できわめて迅速に流動し得る。
【００１９】
(4) 上記パッキングは、中実部材であるのが好ましい。
【００２０】
パッキングが中実構造を有することにより、蓋部材が閉じられた際にパッキングの座屈その他の局部的な変形が防止され、パッキングが上記開口の周縁部と安定的に当接する。
【００２１】
(5) 上記チューブ状バッグは、延性に富む薄肉チューブから構成されていてもよい。
【００２２】
この構成では、コアは、あらゆる方向に容易に流動することができる。したがって、パッキングと上記開口の周縁部とが一層安定的にしかも均一に当接する。
【００２３】
(6) また、上記クーラーボックス本体の上面の開口の周縁部に当該上面に開口する環状に形成された周溝が設けられており、上記パッキングは、上記周溝の開口から突出した状態で当該周溝内に配置されると共に、当該周溝の深さ方向に進退可能なように当該周溝内にスライド自在に嵌め込まれており、上記内圧均等体は、上記周溝の底面と上記パッキングとの間に介在されていてもよい。
【００２４】
この場合においては、上記パッキングは、クーラーボックス本体に設けられた周溝に嵌め込まれており、上記内圧均等体が上記パッキングの座部材として上記周溝の内奥に配置されている。すなわち、上記パッキングは、上記内圧均等体を介して上記周溝に嵌め込まれている。そして、蓋部材が保冷室の開口を閉じた際に、上記周溝から突出したパッキングが当該開口の周縁部に当接し、上記保冷室が密封される。前述のように、一般に成形品としてのクーラーボックス本体及び蓋部材には歪みが生じるから、蓋部材と上記周溝の底面との間の距離は一定ではない。この距離が小さい部位では、蓋部材が閉じられた瞬間にパッキングは相対的に強く押しつけられ、また、上記距離が大きい部位では、蓋部材が閉じられた瞬間にパッキングが相対的に弱く押しつけられる。したがって、蓋部材が閉じられた瞬間において、パッキングが相対的に強く押しつけれた部位に対応する内圧均等体の部位では、当該内圧均等体の内圧が局部的に大きくなり、また、パッキングが相対的に弱く押しつけれた部位に対応する内圧均等体の部位では、当該内圧均等体の内圧が局部的に小さくなる。
【００２５】
前述のように、このような内圧均等体の内部圧力の分布は、当該内部圧力が均等となるように当該内圧均等体を直ちに変形させる。つまり、内圧均等体は、内部圧力が高い部位から低い部位へ流動する。換言すれば、蓋部材と上記周溝の底面との距離の大小にかかわらず、内圧均等体は、パッキングと上記周溝の底面との隙間を流動し充填する。これにより、蓋部材と上記周溝の底面との距離が一定でなくとも、内圧均等体の変形によってパッキングと蓋部材との間の距離が一定となり、したがって、パッキングは、蓋部材に確実にしかも一様に押しつけられる。
【００２６】
(7) 上記内圧均等体は、液体ないしゲル状のコアと、当該コアを収容すると共に、上記周溝の長手方向に沿って配置される可撓性を有するチューブ状バッグとを備えて構成される。
【００２７】
コアは、例えばゲル状のポリウレタン等が採用され得る。ゲル状の物質は、一定の流動性を有することから、コアを構成する材料として好ましい。ただし、さらに流動性に優れる物質、典型定期にはグリース等がコアを構成する材料として採用されてもよいし、きわめて流動性に富むオイルや水がコアを構成する材料として採用されてもよい。また、コアが可撓性を有するチューブ状バッグに収容されることにより、コアがチューブ状バッグ内できわめて迅速に流動し得る。
【００２８】
(8) 上記パッキングは、中実部材であるのが好ましい。
【００２９】
パッキングが中実構造を有することにより、蓋部材が閉じられた際にパッキングの座屈その他の局部的な変形が防止され、パッキングが上記開口の周縁部と安定的に当接する。
【００３０】
(9) 上記チューブ状バッグは、延性に富む薄肉チューブから構成されていてもよい。
【００３１】
この構成では、コアは、あらゆる方向に容易に流動することができる。したがって、パッキングと上記開口の周縁部とが一層安定的にしかも均一に当接する。
【発明の効果】
【００３２】
本発明によれば、内圧均等体が流動変形することにより、蓋部材とクーラーボックス本体との間の距離が一定でなくとも、蓋部材が閉じられた際に蓋部材とクーラーボックス本体との間に介在されたパッキングが両者に均一な圧力で当接する。したがって、樹脂成形品としてのクーラーボックス本体及び蓋部材に歪みが発生している場合であっても、この歪みを相殺するように内圧均等体が流動変形する。その結果、蓋部材が閉じられるだけでクーラーボックス本体の保冷室が簡単且つ確実に密封される。
【発明を実施するための最良の形態】
【００３３】
以下、適宜図面が参照されつつ、好ましい実施形態に基づいて本発明が詳細に説明される。
【００３４】
図１は、本発明の一実施形態に係るクーラーボックスの外観斜視図である。図２は、このクーラーボックスの要部拡大斜視図である。
【００３５】
クーラーボックス１０は、魚釣り等のレジャーに使用され、釣れた魚や飲料水等を冷蔵することができる。クーラーボックス１０は、本体１１（クーラーボックス本体）と、本体１１に開閉自在に設けられた蓋部材１２と、本体１１に設けられた把手１３とを備えている。図１は、蓋部材１２が閉じられた状態を図示し、図２は、蓋部材１２が開けられた状態を示している。上記把手１３は、本体１１に回動可能に設けられており、図１が示すように上方に起立した姿勢と、図２が示すように倒伏した姿勢との間で変化することができる。釣人は、把手１３を起立させることにより、これを把持してクーラーボックス１０を持ち歩くことができ、また、クーラーボックスを磯等に載置するときは、把手１３を倒伏させることができる。
【００３６】
本体１１は、樹脂（典型的にはポリプロピレン）により成形されており、同図が示すように、略直方体形状に形成されている。本体１１の内部には、保冷室１４が形成されている。この保冷室１４は、図２が示すように本体１１の上面１５に連続し、当該上面１５に開口１６を形成している。この開口１６の周縁部１７は滑面に形成されている。後述されるように、蓋部材１２が閉じられたときは、この蓋部材１２に設けられたパッキング１８が上記周縁部１７に当接し、これにより、蓋部材１２は気密的に本体１１と接触することになる。また、保冷室１４を区画する壁１９（本体１１の側壁及び底壁）の内部には、断熱材が封入されている。この断熱材は、典型的には発泡ポリウレタン、発泡スチロールその他発泡樹脂が採用される。ただし、発泡樹脂に加えて真空断熱パネルが配置されていてもよい。
【００３７】
本体１１の上端部の前側辺部及び後側辺部にそれぞれ凹部２０、２１が設けられている。凹部２０は、上記前側辺部の長手方向に延び、本体１１の厚み方向に凹んでいる。そして、この凹部２０にステー２２が設けられている。このステー２２は、後述のように蓋部材１２が係合されるようになっており、蓋部材１２が閉じられたときに、当該蓋部材１２を確実に閉じ状態に保持する。なお、凹部２１は、凹部２０と同様の形状であり、この凹部２１に上記ステー２２と同様のステーが配置されている。本体１１の上端部の前側辺部及び後側辺部にそれぞれステー２２が設けられることにより、蓋部材１２は前側及び後側のどちらからでも開閉することができるようになっている。もっとも、上記ステー２２が本体１１の前側または後側のいずれか一方に設けられ、蓋部材１２が前側または後側のいずれか一方からのみ開閉することができるように構成されていてもよいことは勿論である。
【００３８】
図３は、図１におけるIII−III断面図である。
【００３９】
図１及び図３が示すように、蓋部材１２は、本体１１の上面１５の外形形状に対応して矩形の板状に形成されている。蓋部材１２は、外枠２３と、外枠２３に嵌め込まれた内蓋２４とを備えている。外枠２３は及び内蓋２４は、本体１１と同様に、樹脂（典型的にはポリプロピレン）により成形されている。
【００４０】
図２及び図３が示すように、外枠２３は、係合爪２６及びノブ２５を備えている。係合爪２６は、外枠２３の前側の縁部及び後側の縁部にそれぞれ設けられており、各係合爪２６は、蓋部材１２が閉じられたときに本体１１のステー２２に対応する位置に配置されている。したがって、蓋部材１２が閉じられると、係合爪２６がステー２２に係合し、蓋部材１２の閉じ状態が保持される。また、上記ノブ２５は、外枠２３の前側の縁部及び後側の縁部に沿ってそれぞれ設けられており、各係合爪２６とステー２２との係合を解除することができる。すなわち、蓋部材１２が閉じられている状態でノブ２５が操作されると、各係合爪２６がステー２２から離反し、両者の係合が解除され、これにより、蓋部材１２は、容易に図２が示す姿勢に変化することができる。なお、上記係合爪２６及びノブ２５並びに上記ステー２２の構成は既知であるので、これらの詳細な説明は省略される。
【００４１】
図３が示すように、内蓋２４は、外枠２３の内側に嵌め込まれている。内蓋２４は、例えばネジにより外枠２３に締結され得る。内蓋２４の内部に断熱材が封入されている。この断熱材は、例えば発泡ポリウレタン、発泡スチロールその他発泡樹脂が採用される。ただし、発泡樹脂に加えて真空断熱パネルが配置されていてもよい。内蓋２４の内面２８の周囲に環状の溝２７（周溝）が形成されている。この溝２７は、蓋部材１２が閉じられたときに、本体１１の開口１６の周縁部１７に対向する位置に設けられている。図３が示すように、この溝２７は、内蓋２４の内面２８に、すなわち上記周縁部１７側に開口している。
【００４２】
図４は、クーラーボックス１０の要部拡大断面図であり、本体１１及び蓋部材１２の構造が詳細に示されている。
【００４３】
図３及び図４が示すように、上記溝２７にパッキング１８が嵌め込まれており、このパッキング１８と溝２７の底面２９との間に隙間充填材３０（内圧均等体）が配設されている。蓋部材１２が閉じられると、この内蓋２４が本体１１の上面１５と対向し、パッキング１８が上記開口１６の周縁部１７に押圧される。これにより、上記開口１６が閉塞され、保冷室１４が密封される。
【００４４】
図５は、図４におけるＶ−矢視図であり、隙間充填材３０及びパッキング１８の構造を詳細に示している。
【００４５】
パッキング１８は、断面形状が矩形であり、全体として帯状に形成されている。本実施形態では、パッキング１８は、弾性体（典型的には、発泡シリコーンゴム、エチレンプロピレンジエン三元共重合体（ＥＰＤＭ）等）から構成されている。パッキング１８は、中実構造を有する。パッキング１８が中実構造を備えることによる作用効果については後述されるが、パッキング１８は、中空構造を備えていてもよい。
【００４６】
パッキング１８の高さ寸法Ｈは、溝２７の深さに対応した寸法に設定される。要するに、パッキング１８の高さ寸法Ｈは、パッキング１８が溝２７に嵌め込まれた状態で、パッキング１８の上端部が溝２７の開口３１から数ミリメートルだけだけ突出するように設定されている。また、パッキング１８は、溝２７に嵌め込まれた状態で、図５において上下方向にスライドすることができる。したがって、パッキング１８は、図５において上方に押圧されることにより、溝２７内に退避することができるようになっている。なお、パッキング１８は、細長帯状に形成され、上記溝２７の長手方向に沿って嵌め込まれていてもよいし、無端環状に形成され、上記溝２７に嵌め込まれていてもよい。
【００４７】
隙間充填材３０は、コア３２とバッグ３３（チューブ状バッグ）とを備えている。隙間充填材３０は、細長帯状に形成されている。前述のように、隙間充填材３０は、図５においてパッキング１８の上に配置されており、上記溝２７の底面２９とパッキング１８との間の隙間を埋めるように配置されている。隙間充填材３０の長さ寸法は、溝２７の長手方向寸法に対応されており、隙間充填材３０は、上記溝２７の長手方向に沿って当該溝２７に嵌め込まれている。したがって、隙間充填材３０が溝２７に嵌め込まれた状態で、隙間充填材３０の両端部は、溝２７内で互いに対向し当接する。もっとも、隙間充填材３０が無端環状に形成され、上記溝２７に嵌め込まれていてもよい。
【００４８】
コア３２は、本実施形態ではゲル状のポリウレタンが採用されている。もっとも、コア３２を構成する材料はこれに限定されるものではなく、グリース、オイル、水その他の流動性を有する物質が採用され得る。また、コア３２を構成する材料としてスライムその他の粘状物質が採用されてもよい。要するに、コア３２は、一定の流動性及び粘性を有する非圧縮性のゲル、液体またはスライムが採用され得る。また、バッグ３３は、可撓性を備えた材料からなり、チューブ状に形成されている。上記コア３２は、このバッグ３３に収容されている。本実施形態では、バッグ３３はウレタンシートからなる。バッグ３３を構成するウレタンシートの肉厚寸法は、本実施形態では３５μｍに設定されているが、この肉厚寸法は、５μｍ〜５０μｍ程度に設定され得る。このように、コア３２が可撓性を有するバッグ３３に収容されることにより、コア３２はあらゆる方向に流動することができる。換言すれば、隙間充填材３０は、ゲル状のコア３２全体が均一な圧力となるように流動し変形する。
【００４９】
本実施形態に係るクーラーボックス１０では、図１及び図２が示すように、蓋部材１２が本体１１に対して開閉する。釣人は、蓋部材１２のノブ２５を操作することにより蓋部材１２を開けることができ、蓋部材１２を倒伏させることにより、蓋部材１２の係合爪２６がステー２５に係合し、蓋部材１２が確実に閉じられる。また、本体１１及び蓋部材１２がポリプロピレンその他の樹脂からなるので、これらがコスト安価に構成されるという利点がある。ただし、本体１１及び蓋部材１２がポリプロピレン等の樹脂から成形されることにより、製品としての本体１１及び蓋部材１２に歪みが発生する。
【００５０】
例えば蓋部材１２に歪みが生じると、図４が示すように溝２７の底面２９が湾曲する。このため、蓋部材１２が本体１１に対して閉じられた状態で、本体１１の開口１６の周縁部１７と蓋部材１２の溝２７の底面２９との間の距離Ｓ１が変化する。すなわち、当該距離Ｓ１が溝２７の長手方向について一様ではなく、上記開口１６の周縁部１７と溝２７の底面２９との間の距離Ｓ１が溝２７の部位によって異なる。この場合、仮に上記隙間充填材３０が設けられていないとすれば、溝２７にパッキング１８が嵌め込まれた状態で、当該パッキング１８が溝２７から突出する高さが変化する。すなわち、パッキング１８の溝２７から飛び出る寸法が溝２７の部位によって異なる。このため、蓋部材１２が閉じられた際に、パッキング１８が溝２７から大きく突出する部位では当該パッキング１８が上記周縁部１７に強く押圧され、一方、パッキング１８が溝２７から小さく突出する部位では当該パッキング１８が上記周縁部１７に弱く押圧される。パッキング１８が上記周縁部１７に弱く押圧される部位では、蓋部材１２と本体１１との気密性が保持されない可能性がある。また、パッキング１８が上記周縁部１７に強く押圧される部位が生じた場合には、蓋部材１２を本体１１に閉じる作業が困難になるおそれがある。
【００５１】
ところが、本実施形態に係るクーラーボックス１０では、上記隙間充填材３０が設けられているから、上記蓋部材１２が閉じられた際に、上記距離Ｓ１が小さい部位では、瞬間的に隙間充填材３０が相対的に高圧となり、また、上記距離Ｓ１が大きい部位では、瞬間的に隙間充填部材３０が相対的に低圧となる。すなわち、隙間充填部材３０の内部に内圧が局部的に大きくなる部位と局部的に小さくなる部位とが発生する。
【００５２】
このように隙間充填材３０の内圧が変化することによって、当該隙間充填材３０は、その内部圧力が均等となるように変形する。つまり、隙間充填材３０は、内部圧力が高い部位から低い部位へ流動し、上記距離Ｓ１の大小にかかわらず、隙間充填材３０は、パッキング１８と上記溝２７の底面２９との隙間を流動し充填する。これにより、上記距離Ｓ１が一定でなくとも、隙間充填材３０の変形によってパッキング１８と上記開口１６の周縁部１７との間の距離Ｓ２が一定となり、したがって、パッキング１８は、上記開口１６の周縁部１７に確実にしかも一様に押しつけられる。その結果、本体１１は、蓋部材１２によって確実に密閉されるし、しかも、上記距離Ｓ２が一定となることにより、蓋部材１２を開閉する作業が容易になる。
【００５３】
また、本実施形態では、上記隙間充填材３０は、液体ないしゲル状のコア３２と、これを収容するバッグ３３とからなるので、蓋部材１２が閉じられた瞬間にコア３２がバッグ３３内をきわめて迅速に流動することができる。これにより、隙間充填材３０は、上記パッキング１８と上記溝２７の底面２９との隙間を瞬時に充填することができる。
【００５４】
さらに、本実施形態では、上記パッキング１８が中実構造を有するから、蓋部材１２が閉じられた際にパッキング１８の座屈その他の局部的な変形が防止される。したがって、パッキング１８が上記開口１６の周縁部１７と安定的に当接し、本体１１が蓋部材１２によって確実に密閉される。
【００５５】
加えて、本実施形態では、上記隙間充填材３０のバッグ３３は、薄肉のポリウレタンチューブからなり、可撓性に富む。したがって、上記コア３２は、あらゆる方向に容易に流動することができ、これにより、パッキング１８と上記開口１６の周縁部１７とが一層安定的に且つ均一に当接するという利点がある。
【００５６】
本実施形態では、上記隙間充填材３０は、可撓性を備えたバッグ３３に非圧縮性を呈するコア３２が封入されることにより構成されている。したがって、当該隙間充填材３０の製造においてバッグ３３に封入されるコア３２の量（体積）が重要な管理項目であるところ、コア３２の体積がコア３２の重量によって正確に把握され得る。つまり、流動性に富むコア３２であっても、その体積の管理が簡単であり、隙間充填材３０の製造コストが低減され得るという利点もある。
【００５７】
なお、上記バッグ３３を構成する材料は、ウレタンシートに限定されるものではなく、例えば合成ゴムが採用され得る。合成ゴムの種類は特に限定されるものではないが、延性に富むものであってもよい。バッグ３３を構成する合成ゴムが延性に富む場合は、コア３２がこのバッグ３３に収容されることにより、コア３２は、あらゆる方向に一層円滑に流動することができる。換言すれば、バッグ３３が長手方向にも、長手方向に直交する方向にも容易に変形することができ、その結果、ゲル状のコア３２全体が均一な圧力となるように流動し変形する。
【００５８】
このようにバッグ３３が延性に富む材料からなる場合には、隙間充填材３０の長さ寸法は、溝２７の長手方向寸法よりも若干短く設定されていてもよい。前述のように、上記蓋部材１２が閉じられた際に隙間充填材３０の内圧が変化することによって、当該隙間充填材３０は、その内部圧力が均等となるように変形する。つまり、隙間充填材３０は、内部圧力が高い部位から低い部位へ流動し、上記距離Ｓ１（図４参照）の大小にかかわらず、隙間充填材３０は、パッキング１８と上記溝２７の底面２９との隙間を流動し充填する。このとき、バッグ３３が延性に富むから、隙間充填材３０は長手方向に延び、両端同士が密着された後に、当該長手方向に直交する方向、すなわち高さ方向に変形する。これにより、上記距離Ｓ１が一定でなくとも、隙間充填材３０の変形によってパッキング１８と上記開口１６の周縁部１７との間の距離Ｓ２が一定となり、したがって、パッキング１８は、上記開口１６の周縁部１７に確実にしかも一様に押しつけられる。
【００５９】
次に、本実施形態の変形例について説明される。
【００６０】
図６は、本実施形態の変形例に係るクーラーボックスの要部拡大断面図である。
【００６１】
本変形例に係るクーラーボックス４０が上記実施形態に係るクーラーボックス１０と異なるところは、上記クーラーボックス１０では、蓋部材１２に溝２７が設けられ、この溝２７に隙間充填材３０及びパッキング１８が嵌め込まれていたのに対し、本変形例に係るクーラーボックス４０では、本体１１側に溝２７が設けられ、この溝２７に隙間充填材３０及びパッキング１８が嵌め込まれている点である。なお、クーラーボックス４０のその他の構成については上記クーラーボックス１０と同様である。
【００６２】
同図が示すように、このクーラーボックス４０においても、本体１１の上面１５に開口１６が設けられている。そして、この開口１６に連続して保冷室１４が形成されている。上記溝２７は、上記開口１６の周縁部１７に設けられている。この溝２７は、上記上面１５に開口するように下方に切り込まれることにより構成されており、上記周縁部１７に沿って環状に形成されている。この溝２７の内奥部に隙間充填材３０が嵌め込まれ、さらに、この隙間充填材３０の上にパッキング１８が配置されている。パッキング１８は、同図が示すように上記上面１５から数ミリメートルだけ突出し、蓋部材１２が閉じられることにより、パッキング１８が蓋部材１２の内面４２に当接する。
【００６３】
本変形例においても、隙間充填材３０が設けられているから、蓋部材１２が閉じられた際に、上記溝２７の底面２９と蓋部材１２の内面４２との間の距離Ｓ１が小さい部位では、瞬間的に隙間充填材３０が相対的に高圧となり、また、上記距離Ｓ１が大きい部位では、瞬間的に隙間充填部材３０が相対的に低圧となる。すなわち、隙間充填部材３０の内部に内圧が局部的に大きくなる部位と局部的に小さくなる部位とが発生する。
【００６４】
隙間充填材３０の内圧が変化すると、前述のように、当該隙間充填材３０は、その内部圧力が均等となるように変形する。つまり、隙間充填材３０は、内部圧力が高い部位から低い部位へ流動し、上記距離Ｓ１の大小にかかわらず、隙間充填材３０は、パッキング１８と上記溝２７の底面２９との隙間を流動し充填する。これにより、上記距離Ｓ１が一定でなくとも、隙間充填材３０の変形によってパッキング１８と蓋部材１２の内面４２との間の距離Ｓ２が一定となり、したがって、パッキング１８は、当該蓋部材１２の内面４２に確実にしかも一様に押しつけられる。その結果、本体１１は、蓋部材１２によって確実に密閉されるし、しかも、上記距離Ｓ２が一定となることにより、蓋部材１２を開閉する作業が容易になる。
【００６５】
次に、本実施形態の他の変形例について説明される。
【００６６】
図７は、本実施形態の他の変形例に係るパッキングの拡大断面図である。
【００６７】
本変形例に係るパッキング４５が上記実施形態に係るパッキング１８と異なるところは、パッキング４５が中空構造を備えており、内部に上記コア３２が密封されている点である。パッキング４５を構成する材料は、発泡シリコーンゴム、エチレンプロピレンジエン三元共重合体（ＥＰＤＭ）等の弾性体から構成される。また、コア３２を構成する材料は、前述のようにゲル状のポリウレタンが採用され得る。もっとも、コア３２を構成する材料はこれに限定されるものではなく、グリース、オイル、水その他の流動性を有する物質、スライムその他の粘状物質が採用されてもよい。要するに、コア３２は、一定の流動性及び粘性を有する非圧縮性のゲル、液体またはスライムが採用され得る。
【００６８】
図７が示すように、パッキング４５は、一対の側壁部４６、４７と、肉厚底部４８と、天板部４９とを備えており、これらによって区画される空間５０にコア３２が収容されている。側壁部４６、４７は、他の部分に比べて薄肉である。コアは、前述のように流動性を備えているので、注射器等によりパッキング４５内に注入され得る。具体的には、注射器の針を肉厚底部４８に刺し、コア３２を上記空間５０に注入する。このとき、例えば他の注射器により、空間５０内に予め存在する空気を排出することが好ましい。このパッキング４５は、上記実施形態及び変形例のように本体１１または蓋部材１２に嵌め込まれるが、このとき、肉厚底部４８側が本体１１または蓋部材１２に設けられた溝２７に挿入される。
【００６９】
本変形例では、コア３２がパッキング４５内に収容されるので、クーラーボックス１０、４０の組立てにおいて、単一の部材（すなわち当該パッキング４５）のみを本体１１または蓋部材１２に組み込めばよいので、組立作業が容易になる。しかも、コア３２を収容するバッグ３３が不要になるので、部品点数も削減される。また、パッキング４５の側壁部４６、４７が肉厚底部４８や天板部４９よりも薄肉に形成されているので、パッキング４５が撓みやすく、コア３２が迅速に空間５０内を流動することができる。
【産業上の利用可能性】
【００７０】
本発明は、魚釣り等のレジャーに使用されるクーラーボックスに適用され得る。
【図面の簡単な説明】
【００７１】
【図１】図１は、本発明の一実施形態に係るクーラーボックスの外観斜視図である。
【図２】図２は、本発明の一実施形態に係るクーラーボックスの要部拡大斜視図である。
【図３】図３は、図１におけるIII−III断面図である。
【図４】図４は、本発明の一実施形態に係るクーラーボックスの要部拡大断面図である。
【図５】図５は、図４におけるＶ−矢視図である。
【図６】図６は、本発明の一実施形態の変形例に係るクーラーボックスの要部拡大断面図である。
【図７】図７は、本発明の一実施形態の他の変形例に係るパッキングの拡大断面図である。
【符号の説明】
【００７２】
１０・・・クーラーボックス
１１・・・本体
１２・・・蓋部材
１４・・・保冷室
１５・・・本体の上面
１６・・・本体の開口
１７・・・周縁部
１８・・・パッキング
１９・・・壁
２４・・・内蓋
２７・・・溝
２８・・・内蓋の内面  
２９・・・底面
３０・・・隙間充填材
３１・・・溝の開口
３２・・・コア
３３・・・バッグ
４０・・・クーラーボックス
４２・・・内面
【図１】
0004553145.tif 000002
【図２】
0004553145.tif 000003
【図３】
0004553145.tif 000004
【図４】
0004553145.tif 000005
【図５】
0004553145.tif 000006
【図６】
0004553145.tif 000007
【図７】
0004553145.tif 000008